(57)【特許請求の範囲】
【請求項１】
上面板（１１）と、前記上面板の前縁から垂下する前面板（１２）と、前記上面板の後縁から垂下する後面板（１４）と、内部を上側のポール室（１５）と下側のランナー室（１６）とに仕切る仕切り板（１３）とを備え、突っ張り式伸縮ポールが前記ポール室を通り、ランナー（４）が前記ランナー室を通る合成樹脂製の箱型レール（１）において、前記上面板に脱着可能に接合する合口（１７）を設けて前記上面板を前後に分離し、前記前面板又は前記後面板の前記仕切り板より上の部分と前記後面板の前記仕切り板より少し上の部分のいずれか一方に薄肉部（１８）を設け、前記前面板又は前記後面板の前記薄肉部より上の部分を外方に回動して開閉可能にしことを特徴とするカーテン、間仕切り等の突っ張り式箱型レール。
【請求項２】
伸縮ポール（２）は、内筒（８）と外筒（７）からなり、前記外筒内のばねが前記内筒を前記外筒から突出させて突っ張る構造であり、前記外筒から突出する内筒に前記伸縮ポールのエンドキャップ（９）と略同一外径を有するリング状のアダプタ（６）を外嵌したことを特徴とする請求項１記載のカーテン、間仕切り等の突っ張り式箱型レール。
【発明の詳細な説明】
【０００１】
【発明の属する技術分野】
本発明は、カーテン、ブラインド、間仕切り等の箱型レールに関する。
【０００２】
【従来の技術】
従来の箱型レールは天井面に直接ねじ止めして取り付けるか、又は天井面へねじ止めしたブラケットを介して取り付けていた。
天井面に下地がない場合、又は天井面又は側壁面の止めねじ傷が好ましくない場合は、箱型レールの少なくとも一方の端部にばねによってレール長手方向に出入する着壁部材を内設し、ドライバーによって着壁部の突出長を調整し、箱型レールを弾性的に両側壁間に取り付けていた。
【０００３】
【発明が解決しようとする課題】
箱型レールの端部に付設する着壁部材はばねの全長が短いためドライバーによる調整作業が厄介であり、調整不良のために使用中に箱型レールが落下することが少なくないという問題があった。
本発明はこの問題の解決を課題とするものであり、その目的とするところは、止めねじを使用せずに取り付けることができる箱型レールであって、ドライバー等による調整をしなくても落下するおそれのないものを提供することにある。
【０００４】
【課題を解決するための手段】
前記課題を達成するため本発明が採用する手段は、合成樹脂製の箱型レールを、両側壁間に渡した突っ張り式伸縮ポールに、取り付けることができるように構成したことにある。箱型レールは上面板と、その前後から垂下する前後面板と、内部を突っ張り式伸縮ポールが通る上側のポール室とランナーが通る下側のランナー室に仕切る仕切り板とならなる。上面板にフック状にかみ合う合口を設けて前後に分離し、前面板又は後面板の仕切り板より上の部分に薄肉部を設けてその上の部分を外方に回動可能とする。
【０００５】
薄肉部から上の前面板又は後面板を外方に回してポール室をあいた状態にすると、突っ張り式伸縮ポールを横から箱型レールに入れることができる。突っ張り式伸縮ポールは、内筒と外筒からなり、外筒内のばねが内筒を外筒から突出させて突っ張る構造である。突っ張り式伸縮ポールは内部のばねが比較的長いため、突っ張り力は大きく、使用中に落ちるおそれはほとんどない。この突っ張り式伸縮ポールを箱型レールに入れたとき、伸縮ポールの最大径部分であるエンドキャップがポール室の内面に内接するようにする。
【０００６】
外筒から突出する内筒に部分的に伸縮ポールのエンドキャップと同径のアダプタをかぶせて、アダプタを介してその部分もポール室の内面に内接させることが望ましい。
【０００７】
【発明の実施の形態】
本発明を図面に示す実施例に基づいて説明する。
図１及び図２に示すように、両側壁面の間に突っ張り式伸縮ポール２を渡す。伸縮ポール２は、内部のばねが外筒７とそれから軸方向に一方へ突出する内筒８とを壁面に押し付けて両側壁面間に突っ張り固定する。
【０００８】
内筒８の外筒７から突出する中央部分にリング状のアダプタ５を外嵌する。このアダプタ５の外径は伸縮ポール２の最大径部分であるエンドキャップ９の外径と同一である。
伸縮ポール２は合成樹脂製の箱型レール１の上方のポール室１５に収容される。ポール室１５の前後及び上下内幅はエンドキャップ９又はアダプタ６の外径に略等しい。箱型レール１のポール室１５の下方はランナー室１６であり、ポール室１５とランナー室１６は仕切り板１３により仕切られる。ランナー室１６にはランナー４がレール長手方向に移動自在に収容される。ランナー４はランナー室１６のレール長手方向に延長する開口１９から垂下して折りたたみドア３を吊り下げる。ポール室１５の天井である上面板１１は中央がレール長手方向に切れ、上下にフック状にかみ合う合口１７を形成する。
【０００９】
箱型レール１の後面板１４の仕切り板１３との交差部分直上に薄肉部１８を形成し、後面板１４の仕切り板１３から上の部分を薄肉部１８を中心に回動して開閉する。箱型レール１の両端部に開閉可能で、箱型レール１にスリット付き枠形のキャップ５を外嵌する。
図３は伸縮ポール２に箱型レール１を取り付ける工程を示す図である。
【００１０】
図３（ａ）に示すように、先ず、壁面間に伸縮ポール２を渡し、箱型レール１の後面板１４の薄肉部１８より上の部分を、矢印で示すように、外側に回して上面板１１の合口１７を外し、ポール室１５をあいた状態にする。
次に、図３（ｂ）に示すように、伸縮ポール２を下から半径方向に箱型レール１のポール室１５に入れる。ついで、矢印で示すように、薄肉部１８から上の後面板１４を内側に回す。
【００１１】
上面板１１の合口１７を閉じた後に、図３（ｃ）に鎖線で示すように、キャップ５を弾性的に開かせて矢印で示すように上から箱型レール１にはめてランナーが両端から抜けないようにすると、箱型レール１の伸縮ポール２への取り付けは完了し、図２の状態となる。
箱型レール１の取り外しは取り付け工程の逆である。
【００１２】
実施例は、折りたたみドア３用箱型レール１であるが、この箱型レールはカーテン用としてもそのまま適用できる。又、実施例は後面板を回動するようにしたが、前面板を回動してもよい。実施例はスリット付き枠形のキャップをランナーの外れ防止のために使用したが、前面板又は後面板の開きを規制するために使用してもよい。又、実施例はフック状の上下にかみ合う合口を上面中央に設けたが、合口は他の形状にすることも、磁石により接合する方式にすることも可能であり、又、中央以外の部分、例えば端部に設けることも可能である。
【００１３】
【発明の効果】
上記のとおり、本発明の箱型レールは、先に壁間に渡した別体の強力な固定力を有する突っ張り式伸縮ポールに下から半径方向に掛け、止めねじを使用せずに取り付ける方式であるから、取り付けが至極容易であるだけでなく、中間吊り等の任意の高さにカーテン、間仕切り等を取り付けることも可能であり、その上、ドライバーで突っ張りのばねを調整しなくても使用中に落下するおそれはないという優れた効果を奏する。
【図面の簡単な説明】
【図１】本発明の一実施例の箱型レールを備えた折りたたみドアの要部を示す正面図、
【図２】図１の箱型レールを拡大して示す側面図、
【図３】突っ張り式伸縮ポールに箱型レールを取り付ける工程を示す図、
【符号の説明】
１：箱型レール
２：伸縮ポール
３：折りたたみドア
４：ランナー
５：キャップ
６：アダプタ
７：外筒
８：内筒
９：エンドキャップ
１１：上面板
１２：前面板
１３：仕切り板
１４：後面板
１５：ポール室
１６：ランナー室
１７：合口
１８：薄肉部
１９：開口
【図１】
0003865018.tif 000002
【図２】
0003865018.tif 000003
【図３】
0003865018.tif 000004